(57)【特許請求の範囲】
【請求項１】
扉と、
前記扉を回動可能にかつ上下方向に移動可能に支持する扉枠と、
前記扉を持ち上げてロックを解除するロック機構と、
前記扉枠の下端に固定されて前記扉枠を支持する脚部と、を備え、
前記脚部は、前記扉枠の下端から水平に延びる板状の形状を有する、置き型の安全柵。
【請求項２】
前記脚部は前記扉の全幅に亘って設けられている、請求項１に記載の安全柵。
【請求項３】
前記扉枠の幅方向外側に位置するフラップをさらに備え、
前記フラップは、下端部分が床面に接するとともに、上下方向に延びる回動軸周りに回動する、請求項１又は２に記載の安全柵。
【請求項４】
前記フラップは、幅方向外側部分に断面円形状の当接部を有し、
前記当接部の外径は、当該当接部の幅方向内側に隣接する部分の厚みよりも大きい、請求項３に記載の安全柵。
【発明の詳細な説明】
【技術分野】
【０００１】
本発明は、幼児やペットの通行又は侵入を規制する安全柵に関する。
【背景技術】
【０００２】
幼児やペットの通行又は侵入を規制する安全柵には、扉を備えたものもある（例えば特許文献１参照）。扉を備える安全柵は、幼児やペットが扉を開けないためのロック機構も備える必要がある。ロック機構の１つとして、扉を持ち上げることでロックを解除するものがある。このロック機構は、幼児やペットには簡単にロックを解除することができない一方、ロック解除と扉の開放を一連の動作で行えるため使用者にとっては利便性が高い。
【先行技術文献】
【特許文献】
【０００３】
【特許文献１】特開２０１４−１６６２６２号公報
【発明の概要】
【発明が解決しようとする課題】
【０００４】
ところで、安全柵には大きく分けて壁などに固定する「固定型」と、床に置くだけの「置き型」がある。このうち固定型は、上記のロック機構を採用しても特に問題は生じない。一方、置き型の場合は、扉を持ち上げたとき同時に安全柵全体が持ち上がってしまい、ロックが解除されないおそれがある。そのため、扉を持ち上げてロックを解除するロック機構は、置き型の安全柵と相性が悪く、使用者にとって利便性が高いにもかかわらず置き型の安全柵には採用することができなかった。
【０００５】
本発明は、以上のような事情に鑑みてなされたものであり、置き型でありながら、扉を持ち上げてロックを解除するロック機構を備えた安全柵を提供することを目的としている。
【課題を解決するための手段】
【０００６】
本発明の一態様に係る安全柵は、扉と、前記扉を回動可能にかつ上下方向に移動可能に支持する扉枠と、前記扉を持ち上げてロックを解除するロック機構と、前記扉枠の下端に固定されて前記扉枠を支持する脚部と、を備え、前記脚部は、前記扉枠の下端から水平に延びる板状の形状を有する。
【０００７】
この構成によれば、使用者が脚部を踏んだ状態でロックを解除することができ、この場合、ロック解除の際に扉枠が床に押し付けられるため、持ち上げられることはない。よって、上記の安全柵は、置き型でありながら、扉を持ち上げてロックを解除するロック機構を採用することができる。
【０００８】
また、上記の安全柵において、前記脚部は前記扉の全幅に亘って設けられているようにしてもよい。
【０００９】
この構成によれば、使用者が扉の前に立ったときに必ず脚部を踏むことになるため、使用者は確実に脚部を踏んだ状態でロックを解除することができる。
【００１０】
また、上記の安全柵において、前記扉枠の幅方向外側に位置するフラップをさらに備え、前記フラップは、下端部分が床面に接するとともに、上下方向に延びる回動軸周りに回動するようにしてもよい。
【００１１】
この構成によれば、フラップを所定角度回動させることで、安全柵が一方側に倒れるのを防ぐことができるため、一方側の脚部を省略することができる。
【００１２】
また、上記の安全柵において、前記フラップは、幅方向外側部分に断面円形状の当接部を有するようにし、前記当接部の外径が、当該当接部の幅方向内側に隣接する部分の厚みよりも大きくなるようにしてもよい。
【００１３】
この構成によれば、当接部の外径が他の部分の厚みよりも大きいことから、例えば安全柵を壁際に設置した場合、当接部は壁に密着しやすく、当接部と壁の間に隙間が生じるのを防ぐことができる。
【発明の効果】
【００１４】
上記の構成によれば、置き型でありながら、扉を持ち上げてロックを解除するロック機構を備えた安全柵を提供することができる。
【図面の簡単な説明】
【００１５】
【図１】図１は、実施形態に係る安全柵の正面図である。
【図２】図２は、図１に示す安全柵の平面図である。
【図３】図３は、図１に示す安全柵の扉を持ち上げた状態の図である。
【図４】図４は、図１に示す安全柵の平面図であって、設置例を示した図である。
【図５】図５は、変形例に係る安全柵の平面図である。
【図６】図６は、他の変形例に係る安全柵の正面図である。
【発明を実施するための形態】
【００１６】
以下、本発明の実施形態に係る安全柵について図を参照しながら説明する。以下では、全ての図面を通じて同一又は相当する要素には同じ符号を付して、重複する説明は省略する。
【００１７】
ここで説明する安全柵は、幼児やペットの通行又は侵入を規制するためのものであり、また、いわゆる「置き型」の安全柵である。図１は安全柵１００の正面図であり、図２は安全柵１００の平面図である。以下では、図１における紙面左右方向を安全柵１００の「幅方向」と称し、図１における紙面手前側及び紙面奥側をそれぞれ安全柵１００の「正面側」及び「背面側」と称して説明する。
【００１８】
図１に示すように、安全柵１００は、幅方向中央に位置する扉１０と、扉１０を囲むように配置された扉枠２０と、扉１０と扉枠２０を連結するヒンジ機構３０（図３参照）と、扉１０が開くのを防止するロック機構４０（図３参照）と、安全柵１００を倒れないように支持する脚部５０と、扉枠２０の幅方向両側に位置するフラップ６０と、を備えている。以下、これらの各構成要素について順に説明する。
【００１９】
扉１０は、正面側及び背面側に開くように構成された、いわゆる「開き戸」である（図２の一点鎖線参照）。扉１０において図１の紙面左側が回動軸側にあたる「吊元側」であり、図１の紙面右側が回転軸の反対側にあたる「戸先側」である。扉１０は、幅方向中央の上方部分に開口部１１を有しており、開口部１１の上方には幅方向に延びるグリップ部１２が形成されている。このグリップ部１２は、使用者が扉１０を持ち上げたり、扉１０を開閉したりするのに用いる。また、扉１０は、中央部分が格子状に形成されており、この部分を介して正面側から背面側の様子を確認することができ、背面側から正面側の様子を確認することができる。
【００２０】
扉枠２０は、ヒンジ機構３０を介して、回動可能にかつ上下方向に移動可能に扉１０を支持する部分である。扉１０を図１に示す状態から持ち上げると、図３に示すように扉１０は扉枠２０に対して上方に移動する。また、扉枠２０は、上下方向に延びて扉１０を支持する吊元部２１と、上下方向に延びて吊元部２１と対向する戸先部２２と、扉１０の下方に位置し吊元部２１の下端部分と戸先部２２の下端部分をつなぐ底部２３と、を有しており、全体としてＵ字状に形成されている。
【００２１】
ヒンジ機構３０は、図３に示すように、扉１０の吊元側に位置し上下方向に延びる２つの軸部３１と、扉枠２０の吊元部２１に設けられ上記の軸部３１が挿入される挿入穴３４が形成された２つの筒部３２と、を有している。このうち、軸部３１は、扉１０の吊元側の部分から幅方向外側に突出する基部３３の下面に設けられている。また、２つの筒部３２のうち、上方の筒部３２は吊元部２１から扉１０に向かって突出するように設けられており、下方の筒部３２は吊元部２１と底部２３が交わる角部に設けられている。
【００２２】
ロック機構４０は、扉１０の下面に設けられた突起部４１と、扉枠２０の底部２３に形成されたロック穴４２と、を有している。突起部４１は、扉１０の戸先側に位置しており、下方に向かって突出し、下端は半球状に形成されている。突起部４１は底部２３に対して上下方向に移動可能であるとともに下方に向かって付勢されている。開いている扉１０を閉じて突起部４１が扉枠２０の底部２３に接触すると、突起部４１は上方に押し上げられる。そして、さらに扉１０を閉じて突起部４１がロック穴４２に達すると、突起部４１は下方に付勢されてロック穴４２に挿入される。この状態では、扉１０を開けようとしても、突起部４１がロック穴４２に引っ掛かるため扉１０を開けることはできない。つまり扉１０はロック状態にある。ただし、このロック状態から扉１０を持ち上げると、図３に示すように、突起部４１はロック穴４２から抜け出て、扉１０を開けることができる。つまり、扉１０のロックが解除される。このように、本実施形態のロック機構４０は、扉１０を持ち上げることによりロックが解除される。なお、ロック機構４０は、扉１０を持ち上げることによりロックが解除されるものであればよく、上記のような構成でなくともよい。
【００２３】
脚部５０は、扉枠２０を支持して安全柵１００が倒れるのを防止する部分である。本実施形態では、脚部５０は扉枠２０の正面側のみに設けられており、背面側には設けられていない。脚部５０は、板状に形成されており、扉枠２０の底部２３の下端に固定され、そこから正面側において扉１０に垂直な方向に水平に延びている。なお、脚部５０の外縁部分は外方に向かって高さが低くなるように傾斜している。そのため、幼児やペットが脚部５０の外縁部分でつまずきにくい。
【００２４】
また、脚部５０は、扉１０と幅方向中心位置がほぼ一致しており、扉１０の幅方向寸法に対応する幅方向寸法を有している。つまり、脚部５０は、扉１０の全幅に亘って設けられている。本実施形態では、脚部５０の幅方向寸法は、扉１０の幅方向寸法よりもわずかに大きいが、扉１０の幅方向寸法と同じであってもよく、わずかに小さくてもよい。また、本実施形態の脚部５０は樹脂で形成されているが、脚部５０は板状であればよく、例えば矩形状の枠部材にシートを張ったようなものでもよい。なお、脚部５０は、上方に回動させて折り畳むことができるようにすれば、安全柵１００をコンパクトに収納することができる。
【００２５】
フラップ６０は、吊元部２１の幅方向外側（図１の紙面左側）と戸先部２２の幅方向外側（図１の紙面右側）に位置している。各フラップ６０は、扉枠２０と上下方向寸法がほぼ同じであり、下端部分が床面に接している。各フラップ６０は、幅方向寸法が上下方向寸法よりも小さい縦長の形状を有している。さらに図２に示すように、各フラップ６０は、いずれも幅方向外側部分に断面円形状の当接部６７を有している。この当接部６７の外径は、当接部６７の幅方向内側に隣接する内方部６８の厚みよりも大きい。
【００２６】
吊元部２１側（図１の左側）のフラップ６０は、扉枠２０に向かって突出する２つのフラップ支持部６２と、各フラップ支持部６２に上下方向中央部分を支持され上下方向に延びる２つのフラップ軸部６３とを有している。また、扉枠２０の吊元部２１には、上下方向に延びる溝状の扉枠軸受部６６が２箇所に形成されており、これらの扉枠軸受部６６に上記のフラップ軸部６３がそれぞれ挿入されている。これにより、吊元部２１側のフラップ６０は、フラップ軸受部６１及び扉枠軸部６５を通り上下方向に延びる回動軸周りに回動することができる。
【００２７】
戸先部２２側（図１の右側）のフラップ６０には、上下方向に延びる溝状のフラップ軸受部６１が２箇所に形成されている。また、扉枠２０の戸先部２２には、幅方向外側に向かって突出する２つの扉枠支持部６４と、各扉枠支持部６４に上下方向中央部分を支持され上下方向に延びる２つの扉枠軸部６５と、を有している。これらの扉枠軸部６５は、戸先部２２側に位置するフラップ６０のフラップ軸受部６１にそれぞれ挿入されている。これにより、戸先部２２側のフラップ６０は、フラップ軸受部６１及び扉枠軸部６５を通り上下方向に延びる回動軸周りに回動することができる。
【００２８】
以上が本実施形態に係る安全柵１００の構造である。本実施形態に係る安全柵１００は、廊下や部屋の入口に設置することもでき、図４に示すようにテレビ台や本棚などのラック１０１の前に設置することもできる。図４に示すように、ラック１０１の前に安全柵１００を設置するには、安全柵１００の背面側にラック１０１が位置するように安全柵１００を配置し、両フラップ６０を背面側に回動して当接部６７をラック１０１に当接させる。このように設置すれば、安全柵１００の正面側で脚部５０が扉枠２０を支持しているため安全柵１００は正面側には倒れない。また、安全柵１００の背面側からフラップ６０が扉枠２０を支持しているため、安全柵１００は背面側にも倒れない。
【００２９】
また、前述したとおり、フラップ６０の幅方向外側部分に位置する当接部６７の外径は、当接部６７の幅方向内側に隣接する内方部６８の厚みよりも大きいため、図４で示す場合において、フラップ６０の回動角度にかかわらず当接部６７をラック１０１に密着させやすい。そのため、安全柵１００とラック１０１との間に隙間が生じるのを防ぎ、幼児やペットが安全柵１００とラック１０１との隙間からラック１０１の正面側へ侵入するのを防止することができる。
【００３０】
さらに、本実施形態のロック機構４０は、扉１０を持ち上げることによりロックが解除されるが、置き型の安全柵の場合には扉１０を持ち上げると扉枠２０も一緒に持ち上がるおそれがある。しかしながら、本実施形態によれば、使用者が扉１０を持ち上げる際には、扉１０の正面側に立つため、扉１０の正面側に位置する脚部５０を踏むことになる。そのため、扉１０を持ち上げたとしても、扉枠２０は使用者が踏む脚部５０によって床に押し付けられる結果、ロックを確実に解除することができる。
【００３１】
なお、本実施形態に係る安全柵１００は、脚部５０が扉枠２０の正面側にのみ設けられており、背面側には設けられていないが、上記のようにフラップ６０を有しているため、フラップ６０を背面側に回動させれば、安全柵１００は背面側に倒れることはない。そのため、例えば背面側にあたる床に段差があるような箇所に設置するなど、安全柵１００の背面側に脚部５０を設けることができない場合であっても、安全柵１００を倒れないように設置することができる。
【００３２】
ただし、安全柵１００は、扉枠２０の正面側と背面側の両側に脚部５０を設けてもよい。その際、扉枠２０の正面側に上述した脚部５０を設け、背面側には上述した脚部５０とは異なる脚部を設けてもよい。例えば、扉１０や扉枠２０に対して垂直な方向に延びる棒状の部材を脚部として設けても良く、図５に示すような矩形枠状の脚部８０を設けても良い。なお、脚部５０、８０は、扉枠２０に着脱できるように構成されていれば、安全柵１００の設置場所に応じて脚部５０、８０を取り付けたり取り外したりできるため、安全柵１００の汎用性を向上させることができる。
【００３３】
また、上述した安全柵１００では、各フラップ６０が１つの部材によって形成されている場合について説明したが、フラップ６０は複数の部材を繋ぎ合わせて形成されていてもよい。例えば、図６に示すように、フラップ６０は、幅方向寸法が異なる第１板材６９及び第２板材７０を繋ぎ合わせて形成されていてもよい。この場合、第２板材７０が第１板材６９に対して可動できるようにしてもよい。図６に示すような場合であっても、幅方向外側に位置する第２板材７０の幅方向外側部分を前述した断面円形状の当接部６７とすれば、安全柵１００と壁等の間に隙間が生じるのを防ぐことができる。
【符号の説明】
【００３４】
１０  扉
２０  扉枠
４０  ロック機構
５０  脚部
６０  フラップ
６７  当接部
１００  安全柵
【図１】
0006541452.tif 000002
【図２】
0006541452.tif 000003
【図３】
0006541452.tif 000004
【図４】
0006541452.tif 000005
【図５】
0006541452.tif 000006
【図６】
0006541452.tif 000007